【手続補正書】
【提出日】平成17年5月31日(2005.5.31)
【手続補正１】
【補正対象書類名】明細書
【補正対象項目名】発明の名称
【補正方法】変更
【補正の内容】
【発明の名称】電波透過カバー
【手続補正２】
【補正対象書類名】明細書
【補正対象項目名】特許請求の範囲
【補正方法】変更
【補正の内容】
【特許請求の範囲】
【請求項１】
車両外装部材の開口部に取付されるとともに背面側に電波レーダー装置が配置される樹脂製の電波透過カバーであって、
前記電波透過カバーの外表面に表出する表出面を持つ透明樹脂層と、該透明樹脂層と離間して配置される基材層と、該透明樹脂層と該基材層との間隙に積層され該透明樹脂層を通して該電波透過カバーの外表面に意匠を表示する加飾体層とを有し、
該加飾体層は、蒸着方向に結晶が伸長する金属材料が蒸着された蒸着意匠面を持つことを特徴とする電波透過カバー。
【請求項２】
前記加飾体層は、フィルム状に形成されている請求項１に記載の電波透過カバー。
【請求項３】
前記加飾体層は、所定の意匠を持つ印刷面と、所定の意匠を持つ前記蒸着意匠面と、の少なくとも一方を持つ請求項１または２に記載の記載の電波透過カバー。
【請求項４】
前記加飾体層は、前記蒸着意匠面を持つ光輝片を含む請求項１〜３の何れかに記載の電波透過カバー。
【請求項５】
前記蒸着方向に結晶が伸長する金属材料は、インジウム、スズ、金から選ばれる金属材料である請求項１〜４の何れかに記載の電波透過カバー。
【請求項６】
車両外装部材の開口部に取付されるとともに背面側に電波レーダー装置が配置される樹脂製の電波透過カバーであって、
前記電波透過カバーの外表面に表出する表出面を持つ透明樹脂層と、該透明樹脂層と離間して配置される基材層と、該透明樹脂層と該基材層との間隙に積層され該透明樹脂層を通して該電波透過カバーの外表面に意匠を表示する加飾体層とを有することを特徴とする電波透過カバー。
【請求項７】
前記加飾体層は、フィルム状に形成されている請求項６に記載の電波透過カバー。
【請求項８】
前記加飾体層は、所定の意匠を持つ印刷面と、所定の意匠となるように蒸着方向に結晶が伸長する金属材料が蒸着されている蒸着意匠面と、の少なくとも一方を持つ請求項６または７に記載の記載の電波透過カバー。
【請求項９】
前記加飾体層は、所定の意匠となるように蒸着方向に結晶が伸長する金属材料が蒸着された蒸着意匠面を持つ光輝片を含む請求項６〜８の何れかに記載の電波透過カバー。
【請求項１０】
前記蒸着方向に結晶が伸長する金属材料は、インジウム、スズ、金から選ばれる金属材料である請求項８または９に記載の電波透過カバー。
【請求項１１】
前記加飾体層は、その両面を第１のカバーフィルム層と第２のカバーフィルム層とによって覆われ、少なくとも該第１のカバーフィルム層または第２のカバーフィルム層のうち透明樹脂層側の層は透明樹脂で形成されている請求項１〜１０の何れかに記載の電波透過カバー。
【手続補正３】
【補正対象書類名】明細書
【補正対象項目名】０００１
【補正方法】変更
【補正の内容】
【０００１】
【発明の属する技術分野】
本発明はミリ波レーダー装置やマイクロ波レーダ装置等の電波レーダ装置が搭載される車両の車両外装部材のうち、背面側に電波レーダーが配置される開口部を被覆する電波透過カバーに関する。
【手続補正４】
【補正対象書類名】明細書
【補正対象項目名】００１１
【補正方法】変更
【補正の内容】
【００１１】
【発明が解決しようとする課題】
本発明は上記事情を考慮してなされたもので、高精度の成形を必要とせず、かつ、製造コストを低減できる電波透過カバーを提供することを目的とする。
【手続補正５】
【補正対象書類名】明細書
【補正対象項目名】００１２
【補正方法】変更
【補正の内容】
【００１２】
【課題を解決するための手段】
上記課題を解決する本発明の電波透過カバーは、車両外装部材の開口部に取付されるとともに背面側に電波レーダー装置が配置される樹脂製の電波透過カバーであって、上記電波透過カバーの外表面に表出する表出面を持つ透明樹脂層と、透明樹脂層と離間して配置される基材層と、透明樹脂層と基材層との間隙に積層され透明樹脂層を通して電波透過カバーの外表面に意匠を表示する加飾体層とを有し、加飾体層は、蒸着方向に結晶が伸長する金属材料が蒸着された蒸着意匠面を持つことを特徴とする。
本発明の電波透過カバーにおいて、上記加飾体層は、フィルム状に形成されているものとすることができる。
本発明の電波透過カバーにおいて、上記加飾体層は、所定の意匠を持つ印刷面と、所定の意匠を持つ上記蒸着意匠面と、の少なくとも一方を持つものとすることができる。
本発明の電波透過カバーにおいて、上記加飾体層は、上記蒸着意匠面を持つ光輝片を含むものとすることができる。
本発明の電波透過カバーにおいて、上記蒸着方向に結晶が伸長する金属材料は、インジウム、スズ、金から選ばれる金属材料とすることができる。
【手続補正６】
【補正対象書類名】明細書
【補正対象項目名】００１３
【補正方法】変更
【補正の内容】
【００１３】
上記課題を解決する本発明の電波透過カバーは、車両外装部材の開口部に取付されるとともに背面側に電波レーダー装置が配置される樹脂製の電波透過カバーであって、上記電波透過カバーの外表面に表出する表出面を持つ透明樹脂層と、透明樹脂層と離間して配置される基材層と、透明樹脂層と基材層との間隙に積層され透明樹脂層を通して電波透過カバーの外表面に意匠を表示する加飾体層とを有することを特徴とする。
本発明の電波透過カバーにおいて、上記加飾体層は、フィルム状に形成されているものとすることができる。
本発明の電波透過カバーにおいて、上記加飾体層は、所定の意匠を持つ印刷面と、所定の意匠となるように蒸着方向に結晶が伸長する金属材料が蒸着されている蒸着意匠面と、の少なくとも一方を持つものとすることができる。
本発明の電波透過カバーにおいて、上記加飾体層は、所定の意匠となるように蒸着方向に結晶が伸長する金属材料が蒸着された蒸着意匠面を持つ光輝片を含むものとすることができる。
本発明の電波透過カバーにおいて、上記蒸着方向に結晶が伸長する金属材料は、インジウム、スズ、金から選ばれる金属材料とすることができる。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２９
【補正方法】変更
【補正の内容】
【００２９】
本発明の電波透過カバーにおいて、加飾体層は所定の意匠となるように蒸着方向に結晶が伸長する金属材料が蒸着された蒸着意匠面を持つ光輝片を含んでも良い。蒸着方向に結晶が伸長する金属材料としては、既知の種々の材料を用いることができるが、インジウム、スズ、金から選ばれる金属材料は、蒸着方向に伸長する結晶同士が充分に離間しつつ蒸着されるためより好ましく使用することができる。すなわち、蒸着方向に伸長する結晶同士が充分に離間しつつ蒸着されることから、電波の結晶同士の間隙の透過はより良好におこなわれる。このため、これらの金属を蒸着することによって金属光沢と良好な電波透過性との両方を得ることが可能となる。以下、蒸着方向に結晶が伸長する金属材料を単に金属材料と略する。
【手続補正１６】
【補正対象書類名】明細書
【補正対象項目名】００３３
【補正方法】変更
【補正の内容】
【００３３】
本発明の電波透過カバーによると、加飾体層が光輝片を含む場合には、この光輝片によって電波透過カバーに金属光沢を付与することができ、また、光輝片にのみ金属材料を蒸着する場合には、１つの光輝片の蒸着に要する金属材料の量を低減することができ、製造コストを低減することが可能となる。さらに、フィルム層に意匠を印刷形成する場合には、製造工程を大幅に低減することができる。
【手続補正１７】
【補正対象書類名】明細書
【補正対象項目名】００３６
【補正方法】変更
【補正の内容】
【００３６】
本発明の電波透過カバーを製造する方法を以下に説明する。本発明の電波透過カバーを製造する方法のうち第１の方法は、フィルム形成工程と、賦形工程と、第１の成形工程と、第２の成形工程と、を有する。
【手続補正１８】
【補正対象書類名】明細書
【補正対象項目名】００４２
【補正方法】変更
【補正の内容】
【００４２】
第１の方法によると、フィルム層の一面に透明樹脂層が成形され、他面に基材層が成形されることから、フィルム層，透明樹脂層及び基材層よりなる電波透過カバーの肉厚を容易に一定とすることができる。また、意匠の一部が印刷によって形成されることで、マスク・蒸着あるいはマスク・塗装・乾燥の繰り返し工程が低減されて、製造工数が低減され製造コストが低減される。
【手続補正１９】
【補正対象書類名】明細書
【補正対象項目名】００４３
【補正方法】変更
【補正の内容】
【００４３】
本発明の電波透過カバーを製造する方法のうち第２の方法は、第１の方法と同じフィルム成形工程と賦形工程とを持つ方法であり、第１の成形工程および第２の成形工程が第１の方法と異なる方法である。
【手続補正２０】
【補正対象書類名】明細書
【補正対象項目名】００４４
【補正方法】変更
【補正の内容】
【００４４】
第２の方法においては、第１の成形工程は、賦形されたフィルムを成形型内に配置してフィルムの印刷表面に透明樹脂層又は基材層を形成しフィルムを除去することで印刷面と蒸着意匠面が転写された転写面を持つ第１成形体を形成する工程である。また、第２の成形工程は、第１成形体の転写面に透明樹脂層又は基材層の他方を成形する工程である。
【手続補正２１】
【補正対象書類名】明細書
【補正対象項目名】００４５
【補正方法】変更
【補正の内容】
【００４５】
第２の方法において、フィルムは印刷面及び蒸着意匠面よりなる印刷表面が剥離可能に形成されたものであり、フィルムの印刷表面側に透明樹脂層又は基材層を形成した後にフィルムを除去することで、印刷面と蒸着意匠面とが透明樹脂層又は基材層に転写されて転写面を形成するものである。したがって、第２の方法で用いられるフィルムは、印刷面及び蒸着意匠面を含む層が例えば接着剤層などでフィルム本体に結合されたものであることが好ましい。
【手続補正２２】
【補正対象書類名】明細書
【補正対象項目名】００４６
【補正方法】変更
【補正の内容】
【００４６】
第２の方法によると、第１の方法と同様に、印刷面及び蒸着意匠面の一面に透明樹脂層が成形され、他面に基材層が成形されることから、電波透過カバーの肉厚を容易に一定とすることができる。また、意匠の一部が印刷によって形成されることで、マスク・蒸着あるいはマスク・塗装・乾燥の繰り返し工程が低減されて、蒸着の際の工数が低減され製造コストが低減される。さらに、フィルムのうち印刷面及び蒸着意匠面のみが転写されるため、転写面を持つ層、すなわち加飾体層と透明樹脂層及び基材層とのなじみがよくなり、剥離等の不具合がより確実に防止される。
【手続補正２３】
【補正対象書類名】明細書
【補正対象項目名】００４７
【補正方法】変更
【補正の内容】
【００４７】
本発明の電波透過カバーを製造する方法のうち第３の方法は、第１の方法と同じ賦形工程と第２の成形工程とを持つ方法であり、フィルム形成工程および第１の成形工程が第１の方法と異なる方法である。
【手続補正２４】
【補正対象書類名】明細書
【補正対象項目名】００４８
【補正方法】変更
【補正の内容】
【００４８】
第３の方法において、フィルム形成工程は、所定の意匠を持つ印刷面を有するフィルムを形成するとともに金属材料が蒸着された蒸着意匠面を持つ光輝片を形成する工程である。また、第１の成形工程は、賦形されたフィルムと光輝片とを成形型内に配置した状態で透明樹脂層又は基材層の一方を成形して第１成形体を形成する工程である。
【手続補正２５】
【補正対象書類名】明細書
【補正対象項目名】００４９
【補正方法】変更
【補正の内容】
【００４９】
第３の方法において、所定の意匠が印刷されたフィルムと所定の意匠が蒸着された光輝片とは別体で形成されるものであるため、フィルム又は光輝片の少なくとも一方にはフィルムと光輝片とを接着する接着剤層を設けることが好ましい。
【手続補正２６】
【補正対象書類名】明細書
【補正対象項目名】００５０
【補正方法】変更
【補正の内容】
【００５０】
第３の方法によると、フィルムの一面に透明樹脂層が成形され、他面に基材層が成形されることから、フィルム，透明樹脂層及び基材層よりなる電波透過カバーの肉厚を容易に一定とすることができる。また、意匠の一部が印刷によって形成されることで、マスク・蒸着あるいはマスク・塗装・乾燥の繰り返し工程が低減されて、製造工数が低減され製造コストが低減される。さらに、光輝片を小形のものとすることで、一度の蒸着で多数の光輝片を形成することができ、一個の光輝片の製造に要する金属材料の量を低減することができ製造コストを低減させることができる。
【手続補正２７】
【補正対象書類名】明細書
【補正対象項目名】００５１
【補正方法】変更
【補正の内容】
【００５１】
本発明の電波透過カバーを製造する方法のうち第４の方法は、第２の方法と同じ第２の成形工程を持つ方法である。また、第４の方法は、賦形工程と第１の成形工程との代わりに賦形成形工程を持つ方法である。
【手続補正２８】
【補正対象書類名】明細書
【補正対象項目名】００５２
【補正方法】変更
【補正の内容】
【００５２】
第４の方法において、フィルム形成工程は、金属材料が蒸着された蒸着意匠面を持つフィルムを形成する工程である。賦形成形工程は、透明樹脂層又は基材層を成形するとともにその表面に所定の意匠を持つ意匠面を形成し、成形型内に配置された透明樹脂層又は基材層にフィルムの蒸着意匠面を対向させて所定形状に賦形するとともに、賦形されたフィルムを除去することで蒸着意匠面が転写された第１成形体を形成する工程である。
【手続補正２９】
【補正対象書類名】明細書
【補正対象項目名】００５４
【補正方法】変更
【補正の内容】
【００５４】
なお、第４の方法においては、透明樹脂層又は基材層に形成された意匠面は、転写された蒸着意匠面とともに電波透過カバーの加飾体層を構成する。意匠面は、塗装やコーティング等の既知の方法で形成することができる。また、透明樹脂層に意匠面を形成する場合には、蒸着意匠面が転写される部分にマスクをおこなって意匠面を形成することで、転写された蒸着意匠面を電波透過カバーの外方に良好に表示することができる。
【手続補正３０】
【補正対象書類名】明細書
【補正対象項目名】００５５
【補正方法】変更
【補正の内容】
【００５５】
また、第１の方法から第４の方法において、フィルム形成工程では、フィルムおよび光輝片の両面を第１のカバーフィルム層と第２のカバーフィルム層とによって覆うことができる。この場合、上述したようにフィルムおよび光輝片が第１のカバーフィルム層および第２のカバーフィルム層によって保護されることから、フィルムおよび光輝片を構成する樹脂の種類を問わず、電波透過カバーの意匠性が向上する。また、このとき上述と同様に第１のカバーフィルム層および第２のカバーフィルム層のうち少なくとも透明樹脂層側の層が透明樹脂で形成されることで、加飾体層による意匠は電波透過カバーの外方に良好に表示されることとなる。ここで、フィルムおよび光輝片の両面とは、第１の方法、第２の方法および第４の方法に係る発明においてはフィルムのみの両面を指す。また、第３の方法においては、フィルムの両面および光輝片の両面、あるいはフィルムとフィルムに接着等の方法で一体化された光輝片との一体品の両表面を指す。
【手続補正３１】
【補正対象書類名】明細書
【補正対象項目名】００６７
【補正方法】変更
【補正の内容】
【００６７】
（実施例２）
本実施例２の電波透過カバーの製造方法は、本発明の電波透過カバーを製造する方法の一例であり、第１の方法の一例である。本実施例２の電波透過カバーの製造方法を示す概略図を図３〜図６に示す。
【手続補正３２】
【補正対象書類名】明細書
【補正対象項目名】００７５
【補正方法】変更
【補正の内容】
【００７５】
（実施例３）
本実施例３の電波透過カバーの製造方法は、本発明の電波透過カバーを製造する方法の一例であり、第２の方法の一例である。本実施例３の電波透過カバーの製造方法を示す概略図を図７〜図９に示す。
【手続補正３３】
【補正対象書類名】明細書
【補正対象項目名】００８１
【補正方法】変更
【補正の内容】
【００８１】
（実施例４）
本実施例４の電波透過カバーの製造方法は、本発明の電波透過カバーを製造する方法の一例であり、第３の方法の一例である。本実施例４の電波透過カバーの製造方法を示す概略図を図１０〜図１１に示す。本実施例４において、賦形工程及び第２の成形工程は実施例２と同様におこなわれる。フィルム形成工程及び第１の成形工程は以下のようにおこなわれる。
【手続補正３４】
【補正対象書類名】明細書
【補正対象項目名】００８７
【補正方法】変更
【補正の内容】
【００８７】
（実施例５）
本実施例５の電波透過カバーの製造方法は、本発明の電波透過カバーを製造する方法の一例であり、第４の方法の一例である。本実施例５の電波透過カバーの製造方法を示す概略図を図１２〜図１３に示す。本実施例５において第２の成形工程は実施例３と同様におこなわれる。また、本実施例５において、フイルム形成工程で形成されるフィルム６０は、実施例３のフィルム形成工程で形成されるフィルム３３のうち印刷面３４を持たないものである。本実施例５において、賦形成形工程は以下のようにおこなわれる。
【手続補正３５】
【補正対象書類名】明細書
【補正対象項目名】００９０
【補正方法】変更
【補正の内容】
【００９０】
（実施例６）
本実施例６の電波透過カバーの製造方法は、本発明の電波透過カバーを製造する方法の一例であり、第１の方法の一例であり、フィルム形成工程においてフィルムの両面を第１のカバーフィルム層および第２のカバーフィルム層で覆ったことと、賦形工程において真空成形および圧空成形を用いたこと以外は実施例２と同じ方法である。本実施例６の電波透過カバーの製造方法を示す概略図を図１４〜図１５に示す。
【手続補正３６】
【補正対象書類名】明細書
【補正対象項目名】００９６
【補正方法】変更
【補正の内容】
【００９６】
【発明の効果】
以上述べてきたように、本発明の電波透過カバーは、加飾体層が、蒸着方向に結晶が伸長する金属材料が蒸着された光輝片を含む場合には、所望する意匠のうち金属光沢が必要な部分のみを光輝片で構成することができる。このため、加飾層全体に、蒸着方向に結晶が伸長する金属材料を蒸着する必要がないことから、蒸着に要する、蒸着方向に結晶が伸長する金属材料の量を少なくすることができ、製造コストを低減させることができる。
【手続補正３７】
【補正対象書類名】明細書
【補正対象項目名】００９７
【補正方法】変更
【補正の内容】
【００９７】
本発明の電波透過カバーを第１の方法で製造すると、所望する意匠を印刷面と蒸着意匠面とによって構成するため、意匠のうち金属光沢が必要ない部分を印刷で形成することができる。このため、製造工数を低減させることができ、製造コストを低減させることができる。
【手続補正３８】
【補正対象書類名】明細書
【補正対象項目名】００９８
【補正方法】変更
【補正の内容】
【００９８】
本発明の電波透過カバーを第２の方法で製造すると、第１の方法の効果に加えて、フィルムのうち印刷面及び蒸着意匠面のみが転写されるため、転写された印刷面及び蒸着意匠面を含む加飾体層と透明樹脂層及び基材層とのなじみがよくなり、剥離等の不具合がより確実に防止される。
【手続補正３９】
【補正対象書類名】明細書
【補正対象項目名】００９９
【補正方法】変更
【補正の内容】
【００９９】
本発明の電波透過カバーを第３の方法で製造すると、意匠のうち金属光沢が必要ない部分を印刷で形成することができため、製造工数を低減させることができ、製造コストを低減させることができる。さらに、意匠のうち金属光沢が必要な部分はフィルムと別体の光輝片で構成されるため、所望する意匠全体にインジウムを蒸着する必要がないことから、蒸着に要するインジウムの量を少なくすることができ、製造コストをさらに低減させることができる。
【手続補正４０】
【補正対象書類名】明細書
【補正対象項目名】０１００
【補正方法】変更
【補正の内容】
【０１００】
本発明の電波透過カバーを第４の方法で製造すると、意匠の一部が蒸着で形成され他の部分がコーティングによって形成されることで、全体を蒸着で形成する場合に比べて製造工数が減少し製造コストが低減される。